(57)【要約】【課題】一画面で表示し切れない一覧に含まれる宛先への情報送信において宛先確認のための注意喚起を行うこと。【解決手段】宛先一覧表示制御部１０２は、情報を送信する宛先が指定されるとその宛先の一覧を表示手段に表示させる。一覧表示状態判断部１０４は、前述した第１宛先一覧、すなわち宛先一覧表示制御部１０２が表示させている宛先の一覧が表示手段の一画面に収まるか否かを判断する。確認画面表示制御部１０７は、第１宛先一覧が表示手段の一画面に収まらない場合に、第１宛先一覧に含まれる宛先をその第１宛先一覧よりも一画面において多く含む宛先の一覧を表示させる。情報送信部１０６は、情報の送信を指示する操作が受け付けられた場合にその情報を送信する。【選択図】図２
2017175298.tif 000002
【特許請求の範囲】
【請求項１】
情報を送信する送信部と、
前記情報を送信する宛先が複数指定されると当該複数の宛先の第１の一覧を表示手段に表示させる第１表示制御部と、
前記第１の一覧が前記表示手段の一画面に収まらない場合に、当該第１の一覧に含まれる宛先に関連する宛先関連情報を前記表示手段に表示させる第２表示制御部と
を備える情報処理装置。
【請求項２】
前記第２表示制御部は、前記第１の一覧に含まれる宛先を当該第１の一覧よりも前記一画面において多く含む第２の一覧を前記宛先関連情報として表示させる
請求項１に記載の情報処理装置。
【請求項３】
前記送信部は、前記第２の一覧が前記一画面に収まらない場合、当該第２の一覧の全体が表示されるまでは、前記情報を送信しない
請求項２に記載の情報処理装置。
【請求項４】
前記第２表示制御部は、前記一画面に収まるように表した前記第２の一覧を前記宛先関連情報として表示させる
請求項２又は３に記載の情報処理装置。
【請求項５】
前記第２表示制御部は、前記第１の一覧に含まれる各宛先を表す文字列を省略して前記第２の一覧に含めることで当該第２の一覧を前記一画面に収める
請求項４に記載の情報処理装置。
【請求項６】
前記第２表示制御部は、前記第１の一覧に含まれる宛先の配置もしくは表示形式のうち少なくともいずれかを変更して前記第２の一覧に含めることで当該第２の一覧を前記一画面に収める
請求項４又は５に記載の情報処理装置。
【請求項７】
前記第２表示制御部は、前記第１の一覧に含まれる宛先を縮小して前記第２の一覧に含めることで当該第２の一覧を前記一画面に収める
請求項４から６のいずれか１項に記載の情報処理装置。
【請求項８】
前記送信部は、前記第２の一覧が表示されてから決められた時間が経過しても前記情報の送信を指示する操作が受け付けられない場合には、前記情報を送信しない
請求項２から６のいずれか１項に記載の情報処理装置。
【請求項９】
前記送信部は、前記第２の一覧が表示されてから決められた時間が経過すると、前記情報の送信を指示する操作が受け付けられていなくても前記情報を送信する
請求項２から８のいずれか１項に記載の情報処理装置。
【請求項１０】
前記時間は、前記第２の一覧に含まれる宛先の量に応じた長さの時間である
請求項８又は９に記載の情報処理装置。
【請求項１１】
前記第１の一覧が前記表示手段の一画面に収まっており、且つ、第１操作子への操作が行われた場合には、前記送信部が、前記情報の送信を指示する操作が受け付けられたものとして前記情報を送信し、
前記第１の一覧が前記表示手段の一画面に収まっておらず、且つ、前記第１操作子への操作が行われた場合には、前記第２表示制御部が、前記宛先関連情報を表示させる
請求項２から１０のいずれか１項に記載の情報処理装置。
【請求項１２】
前記第２表示制御部は、前記宛先関連情報とともに第２操作子を表示させ、
前記送信部は、前記第２操作子への操作が行われた場合に、前記操作が受け付けられたものとして前記情報を送信する
請求項１１に記載の情報処理装置。
【請求項１３】
前記第２表示制御部は、前記第１の一覧に含まれる宛先の件数を表す情報を前記宛先関連情報として表示させる
請求項１から１２のいずれか１項に記載の情報処理装置。
【請求項１４】
前記第１の一覧には、複数の宛先を表すグループの宛先が含まれており、
前記第２表示制御部は、前記グループに含まれる複数の宛先を別々に表す第３の一覧を前記宛先関連情報として表示させる
請求項１から１３のいずれか１項に記載の情報処理装置。
【請求項１５】
前記第２表示制御部は、前記第３の一覧が前記一画面に収まらない場合、当該第３の一覧に含まれる宛先の件数を表す情報も前記宛先関連情報として表示させる
請求項１４に記載の情報処理装置。
【請求項１６】
前記宛先の件数は、前記グループに含まれる宛先を個々に計上した件数である
請求項１５に記載の情報処理装置。
【請求項１７】
前記第２表示制御部は、前記宛先関連情報を前記第１の一覧に重畳させて表示させる
請求項１から１６のいずれか１項に記載の情報処理装置。
【請求項１８】
前記第２表示制御部は、前記第１の一覧が前記一画面に収まる場合には、前記宛先関連情報を表示させない
請求項１から１７のいずれか１項に記載の情報処理装置。
【請求項１９】
前記第２表示制御部は、前記第１の一覧が前記一画面に収まらない場合に、当該第１の一覧の全体を表示させる操作が行われたときには、前記宛先関連情報を表示させない
請求項１から１８のいずれか１項に記載の情報処理装置。
【請求項２０】
情報を送信する送信部と、
前記情報を送信する宛先が複数指定されると当該複数の宛先の一覧を表示する表示部であって、前記一覧が前記表示部の一画面に収まらない場合、前記情報の送信前に前記複数の宛先に関連する宛先関連情報を表示する表示部と
を備える情報処理装置。
【請求項２１】
前記宛先関連情報は、前記一覧に含まれる宛先を当該一覧よりも前記一画面において多く含む
請求項２０に記載の情報処理装置。
【請求項２２】
前記宛先関連情報は、前記一覧に含まれる宛先を一画面に含む
請求項２０又は２１に記載の情報処理装置。
【請求項２３】
前記宛先関連情報は、前記一覧に含まれる宛先を一画面に収まるよう縮小したものである
請求項２０から２２のいずれか１項に記載の情報処理装置。
【請求項２４】
前記宛先関連情報は、前記一覧に含まれる宛先の配置もしくは表示形式のうち少なくともいずれかを変更することで一画面に収まるよう縮小したものである
請求項２３に記載の情報処理装置。
【請求項２５】
前記宛先関連情報は、前記一覧に含まれる宛先の件数であることを特徴とする
請求項２０に記載の情報処理装置。
【発明の詳細な説明】
【技術分野】
【０００１】
本発明は、情報処理装置に関する。
【背景技術】
【０００２】
特許文献１には、外部メールアドレス宛にメールが送信される前に、ユーザへの注意喚起を行い、その注意喚起への応答内容に応じてメールを自動送信する技術が開示されている。
【先行技術文献】
【特許文献】
【０００３】
【特許文献１】特開２０１４−０２６３０６号公報
【発明の概要】
【発明が解決しようとする課題】
【０００４】
ここで、複数の宛先を指定して同時に送信を行う場合、指定した複数の宛先の一覧が表示されると誤送信の防止に有効であるが、宛先が多くなると一覧をスクロールさせることなく一画面で表示させることが難しくなる。一方、宛先が多くなるほど宛先の間違いが生じる可能性は増えるので、宛先を確認してから送信されることが望ましい。
そこで、本発明は、一画面で表示し切れない一覧に含まれる宛先への情報送信において宛先確認のための注意喚起を行うことを目的とする。
【課題を解決するための手段】
【０００５】
本発明の請求項１に係る情報処理装置は、情報を送信する送信部と、前記情報を送信する宛先が複数指定されると当該複数の宛先の第１の一覧を表示手段に表示させる第１表示制御部と、前記第１の一覧が前記表示手段の一画面に収まらない場合に、当該第１の一覧に含まれる宛先に関連する宛先関連情報を前記表示手段に表示させる第２表示制御部とを備えることを特徴とする。
【０００６】
本発明の請求項２に係る情報処理装置は、請求項１に記載の構成において、前記第２表示制御部は、前記第１の一覧に含まれる宛先を当該第１の一覧よりも前記一画面において多く含む第２の一覧を前記宛先関連情報として表示させることを特徴とする。
【０００７】
本発明の請求項３に係る情報処理装置は、請求項２に記載の構成において、前記送信部は、前記第２の一覧が前記一画面に収まらない場合、当該第２の一覧の全体が表示されるまでは、前記情報を送信しないことを特徴とする。
【０００８】
本発明の請求項４に係る情報処理装置は、請求項２又は３に記載の構成において、前記第２表示制御部は、前記一画面に収まるように表した前記第２の一覧を前記宛先関連情報として表示させることを特徴とする。
【０００９】
本発明の請求項５に係る情報処理装置は、請求項４に記載の構成において、前記第２表示制御部は、前記第１の一覧に含まれる各宛先を表す文字列を省略して前記第２の一覧に含めることで当該第２の一覧を前記一画面に収めることを特徴とする。
【００１０】
本発明の請求項６に係る情報処理装置は、請求項４又は５に記載の構成において、前記第２表示制御部は、前記第１の一覧に含まれる宛先の配置もしくは表示形式のうち少なくともいずれかを変更して前記第２の一覧に含めることで当該第２の一覧を前記一画面に収めることを特徴とする。
【００１１】
本発明の請求項７に係る情報処理装置は、請求項４から６のいずれか１項に記載の構成において、前記第２表示制御部は、前記第１の一覧に含まれる宛先を縮小して前記第２の一覧に含めることで当該第２の一覧を前記一画面に収めることを特徴とする。
【００１２】
本発明の請求項８に係る情報処理装置は、請求項２から６のいずれか１項に記載の構成において、前記送信部は、前記第２の一覧が表示されてから決められた時間が経過しても前記情報の送信を指示する操作が受け付けられない場合には、前記情報を送信しないことを特徴とする。
【００１３】
本発明の請求項９に係る情報処理装置は、請求項２から８のいずれか１項に記載の構成において、前記送信部は、前記第２の一覧が表示されてから決められた時間が経過すると、前記情報の送信を指示する操作が受け付けられていなくても前記情報を送信することを特徴とする。
【００１４】
本発明の請求項１０に係る情報処理装置は、請求項８又は９に記載の構成において、前記時間は、前記第２の一覧に含まれる宛先の量に応じた長さの時間であることを特徴とする。
【００１５】
本発明の請求項１１に係る情報処理装置は、請求項２から１０のいずれか１項に記載の構成において、前記第１の一覧が前記表示手段の一画面に収まっており、且つ、第１操作子への操作が行われた場合には、前記送信部が、前記情報の送信を指示する操作が受け付けられたものとして前記情報を送信し、前記第１の一覧が前記表示手段の一画面に収まっておらず、且つ、前記第１操作子への操作が行われた場合には、前記第２表示制御部が、前記宛先関連情報を表示させることを特徴とする。
【００１６】
本発明の請求項１２に係る情報処理装置は、請求項１１に記載の構成において、前記第２表示制御部は、前記宛先関連情報とともに第２操作子を表示させ、前記送信部は、前記第２操作子への操作が行われた場合に、前記操作が受け付けられたものとして前記情報を送信することを特徴とする。
【００１７】
本発明の請求項１３に係る情報処理装置は、請求項１から１２のいずれか１項に記載の構成において、前記第２表示制御部は、前記第１の一覧に含まれる宛先の件数を表す情報を前記宛先関連情報として表示させることを特徴とする。
【００１８】
本発明の請求項１４に係る情報処理装置は、請求項１から１３のいずれか１項に記載の構成において、前記第１の一覧には、複数の宛先を表すグループの宛先が含まれており、前記第２表示制御部は、前記グループに含まれる複数の宛先を別々に表す第３の一覧を前記宛先関連情報として表示させることを特徴とする。
【００１９】
本発明の請求項１５に係る情報処理装置は、請求項１４に記載の構成において、前記第２表示制御部は、前記第３の一覧が前記一画面に収まらない場合、前記宛先の件数を表す情報も前記宛先関連情報として表示させることを特徴とする。
【００２０】
本発明の請求項１６に係る情報処理装置は、請求項１５に記載の構成において、前記宛先の件数は、前記グループに含まれる宛先を個々に計上した件数であることを特徴とする。
【００２１】
本発明の請求項１７に係る情報処理装置は、請求項１から１６のいずれか１項に記載の構成において、前記第２表示制御部は、前記宛先関連情報を前記第１の一覧に重畳させて表示させることを特徴とする。
【００２２】
本発明の請求項１８に係る情報処理装置は、請求項１から１７のいずれか１項に記載の構成において、前記第２表示制御部は、前記第１の一覧が前記一画面に収まる場合には、前記宛先関連情報を表示させないことを特徴とする。
【００２３】
本発明の請求項１９に係る情報処理装置は、請求項１から１８のいずれか１項に記載の構成において、前記第２表示制御部は、前記第１の一覧が前記一画面に収まらない場合に、当該第１の一覧の全体を表示させる操作が行われたときには、前記宛先関連情報を表示させないことを特徴とする。
【００２４】
本発明の請求項２０に係る情報処理装置は、情報を送信する送信部と、前記情報を送信する宛先が複数指定されると当該複数の宛先の一覧を表示する表示部であって、前記一覧が前記表示部の一画面に収まらない場合、前記情報の送信前に前記複数の宛先に関連する宛先関連情報を表示する表示部とを備えることを特徴とする。
【００２５】
本発明の請求項２１に係る情報処理装置は、請求項２０に記載の構成において、前記宛先関連情報は、前記一覧に含まれる宛先を当該一覧よりも前記一画面において多く含むことを特徴とする。
【００２６】
本発明の請求項２２に係る情報処理装置は、請求項２０又は２１に記載の構成において、前記宛先関連情報は、前記一覧に含まれる宛先を一画面に含むことを特徴とする。
【００２７】
本発明の請求項２３に係る情報処理装置は、請求項２０から２２のいずれか１項に記載の構成において、前記宛先関連情報は、前記一覧に含まれる宛先を一画面に収まるよう縮小したものであることを特徴とする。
【００２８】
本発明の請求項２４に係る情報処理装置は、請求項２３に記載の構成において、前記宛先関連情報は、前記一覧に含まれる宛先の配置もしくは表示形式のうち少なくともいずれかを変更することで一画面に収まるよう縮小したものであることを特徴とする。
【００２９】
本発明の請求項２５に係る情報処理装置は、請求項２０に記載の構成において、前記宛先関連情報は、前記一覧に含まれる宛先の件数であることを特徴とする。
【発明の効果】
【００３０】
請求項１、２０に係る発明によれば、一画面で表示し切れない一覧に含まれる宛先への情報送信において宛先確認のための注意喚起を行うことができる。
請求項２、２１に係る発明によれば、第１の一覧だけで宛先を確認させる場合に比べて効率よく多くの宛先を確認させることができる。
請求項３に係る発明によれば、第２の一覧が一画面に収まっていない場合でも、第２の一覧の全体の確認をしなければ情報が送信されないようにすることができる。
請求項４、５、６、７、２２、２３、２４に係る発明によれば、第２の一覧が一画面に収まらない場合に比べて宛先全体の確認を容易に行わせることができる。
請求項８に係る発明によれば、第２の一覧の確認と送信を指示する操作とをユーザに急かすことができる。
請求項９に係る発明によれば、宛先を確認するための時間を提供した後は、操作の有無にかかわらず情報を送信することができる。
請求項１０に係る発明によれば、宛先の量に合わせて宛先を確認する時間を確保することができる。
請求項１１に係る発明によれば、ユーザに宛先を必ず確認させることができる。
請求項１２に係る発明によれば、第２操作子が表示されない場合に比べて、宛先を確認した後に送信を指示する際の手間を小さくすることができる。
請求項１３、２５に係る発明によれば、ユーザに、自分が指定しようと思っている宛先の件数と、実際に指定されている宛先の件数とが合っているかを把握させることができる。
請求項１４に係る発明によれば、第１の一覧に複数の宛先を表すグループの宛先が含まれている場合に、そのグループに含まれる宛先もユーザに確認させることができる。
請求項１５、１６に係る発明によれば、第３の一覧に含まれていてまだ表示されていない宛先の確認のための注意喚起を行うことができる。
請求項１７に係る発明によれば、宛先関連情報が第１の一覧から離れた位置に表示される場合に比べて、表示された宛先関連情報が第１の一覧に関連する情報であることが伝わりやすいようにすることができる。
請求項１８に係る発明によれば、第１の一覧が一画面に収まる場合にも宛先関連情報を表示させるときに比べて、より早く情報を送信することができる。
請求項１９に係る発明によれば、第１宛先一覧の全体を表示させる操作が行われても宛先関連情報を表示させる場合に比べて、より早く情報を送信することができる。
【図面の簡単な説明】
【００３１】
【図１】実施例に係る画像処理装置のハードウェア構成を表す図
【図２】画像処理装置が実現する機能構成を表す図
【図３】表示された第１宛先一覧の例を表す図
【図４】表示された第２宛先一覧の一例を表す図
【図５】表示された第２宛先一覧の別の一例を表す図
【図６】情報送信処理における画像処理装置の動作手順の一例を表す図
【図７】変形例で表示された第２宛先一覧の一例を表す図
【図８】制限時間テーブルの一例を表す図
【図９】変形例の画像処理装置が実現する機能構成の一例を表す図
【図１０】表示された第１宛先一覧の一例を表す図
【図１１】変形例の宛先一覧画面と宛先確認画面の一例を表す図
【図１２】変形例の宛先確認画面の別の一例を表す図
【図１３】変形例の宛先確認画面の別の一例を表す図
【図１４】変形例の情報送信処理における動作手順の一例を表す図
【図１５】変形例の画像処理装置が実現する機能構成の一例を表す図
【図１６】変形例で表示された第２宛先一覧の一例を表す図
【発明を実施するための形態】
【００３２】
［１］実施例
図１は実施例に係る画像処理装置１０のハードウェア構成を表す。画像処理装置１０は、用紙等の媒体から画像を読み取る処理や、読み取った画像データをファクシミリ通信で宛先に送信する処理などを行う情報処理装置である。画像処理装置１０は、ＣＰＵ（Central Processing Unit）１１と、ＲＡＭ（Random Access Memory）１２と、ＲＯＭ（Read Only Memory）１３と、ＮＩＣ（Network Interface Card）１４と、ストレージ１５と、イメージスキャナ１６と、ＦＡＸモデム１７と、操作パネル１８とを備えるコンピュータである。
【００３３】
ＣＰＵ１１は、ＲＡＭ１２をワークエリアとして用いてＲＯＭ１３やストレージ１５に記憶されているプログラムを実行することによって各部の動作を制御する。ＮＩＣ１４は、通信回路を有し、外部装置と通信を行う。ストレージ１５は、ＨＤＤ（Hard Disk Drive）やＳＳＤ（Solid State Drive）などの記憶媒体であり、ＣＰＵ１１が制御に用いるデータやプログラムを記憶している。
【００３４】
イメージスキャナ１６は、イメージセンサなどを備え、用紙の表面に表された画像を光学的に読み取る。イメージスキャナ１６は、読み取った画像を表す画像データをＣＰＵ１１に供給する。ＦＡＸモデム１７は、ファクシミリ通信を行うための通信回路を有し、ＦＡＸ番号で指定される宛先への画像データの送信と、自装置に割り当てられたＦＡＸ番号宛に送信されてきた画像データの受信とを行う。操作パネル１８は、ディスプレイと、ディスプレイの表面に設けられたタッチパネルとを備え、文字や画像を表示するとともに、ユーザからの操作を受け付ける。
【００３５】
ＣＰＵ１１がプログラムを実行して各部を制御することで、以下に述べる機能が実現される。
図２は画像処理装置１０が実現する機能構成を表す。画像処理装置１０は、宛先指定操作受付部１０１と、宛先一覧表示制御部１０２と、第１送信操作受付部１０３と、一覧表示状態判断部１０４と、原稿読取部１０５と、情報送信部１０６と、確認画面表示制御部１０７と、第２送信操作受付部１０８とを備える。
【００３６】
宛先指定操作受付部１０１は、ファクシミリの宛先を指定する操作を受け付ける。宛先指定操作受付部１０１は、例えばテンキーに対してＦＡＸ番号を指定する操作や電話帳に予め登録されたＦＡＸ番号を選択する操作を、宛先を指定する操作として受け付ける。宛先指定操作受付部１０１は、受け付けた操作により指定された宛先を宛先一覧表示制御部１０２に供給する。
【００３７】
宛先一覧表示制御部１０２は、情報を送信する宛先が複数指定されるとそれら複数の宛先の一覧を表示手段に表示させる。以下では宛先一覧表示制御部１０２が表示させる宛先のことを「第１宛先一覧」という。第１宛先一覧は本発明の「第１の一覧」の一例であり、宛先一覧表示制御部１０２は本発明の「第１表示制御部」の一例である。宛先一覧表示制御部１０２は、本実施例では、画像データを送信する宛先の名称及びその宛先のＦＡＸ番号の一覧を操作パネル１８に表示させる。
【００３８】
図３は表示された第１宛先一覧の例を表す。図３の例では、宛先一覧表示制御部１０２が、送信操作用画像Ｃ１と、電話帳表示操作用画像Ｃ２と、テンキー表示操作用画像Ｃ３とを含む宛先一覧画面Ａ１を操作パネル１８に表示させている。送信操作用画像Ｃ１は、指定された宛先への情報の送信を指示する操作を受け付けるための画像である。電話帳表示操作用画像Ｃ２は、宛先が登録された電話帳を表示させる操作を受け付けるための画像である。テンキー表示操作用画像Ｃ３は、テンキーの画像を表示させる操作を受け付けるための画像である。
【００３９】
また、宛先一覧表示制御部１０２は、図３（ａ）の例では操作パネル１８の一画面に収まる数（この例では３つ）のＦＡＸ番号を含む第１宛先一覧Ｂ１を表示させており、図３（ｂ）の例では操作パネル１８の一画面に収まらない数（この例では６つ以上）のＦＡＸ番号を含む第１宛先一覧Ｂ２を表示させている。図３（ｂ）の例では、宛先一覧表示制御部１０２は、スクロールバーＣ４を表示させており、スクロールバーＣ４をユーザが操作した場合に、残りの宛先を表示させるようにしている。各宛先は、例えば「ＡＡ：ｘｘ−ｘｘｘｘ−ｘｘｘ１」というように、宛先の名称（この例では「ＡＡ」）とＦＡＸ番号（この例では「ｘｘ−ｘｘｘｘ−ｘｘｘ１」）で表されている。
【００４０】
宛先一覧表示制御部１０２は、送信操作用画像Ｃ１の位置情報（位置を表す情報）を第１送信操作受付部１０３に供給する。ユーザが送信操作用画像Ｃ１を操作すると、第１送信操作受付部１０３が、供給された位置情報に基づいてその操作を送信操作用画像Ｃ１に対する操作と判断し、指定された宛先への送信を指示する操作として受け付ける。第１送信操作受付部１０３は、この操作を受け付けると、その旨を一覧表示状態判断部１０４に通知する。
【００４１】
一覧表示状態判断部１０４は、前述した第１宛先一覧、すなわち宛先一覧表示制御部１０２が表示させている宛先の一覧が表示手段の一画面に収まるか否かを判断する。一覧表示状態判断部１０４は、第１送信操作受付部１０３からの通知を受け取ると、例えば表示させている第１宛先一覧に含まれる宛先の数を宛先一覧表示制御部１０２に対して問い合わせる。一覧表示状態判断部１０４は、この応答で得られる宛先の数が、一画面に収まる宛先の数として決められた数（本実施例では５）以下であれば第１宛先一覧が一画面に収まると判断し、その数を超えていれば第１宛先一覧が一画面に収まらないと判断する。
【００４２】
なお、一覧表示状態判断部１０４は、宛先一覧表示制御部１０２がスクロールバーを表示させていなければ第１宛先一覧が一画面に収まると判断し、スクロールバーを表示させていれば第１宛先一覧が一画面に収まらないと判断してもよい。一覧表示状態判断部１０４は、第１宛先一覧が一画面に収まると判断した場合には、その旨を原稿読取部１０５に通知し、第１宛先一覧が一画面に収まらないと判断した場合には、その旨を確認画面表示制御部１０７に通知する。
【００４３】
原稿読取部１０５は、情報の送信を指示する操作が受け付けられた場合に、自装置にセットされた原稿を読み取る。例えば一覧表示状態判断部１０４から第１宛先一覧が一画面に収まると判断した旨が通知された場合は、第１送信操作受付部１０３によりファクシミリによる情報の送信を指示する操作が受け付けられたことになる。原稿読取部１０５は、この一覧表示状態判断部１０４からの通知を受け取ると、原稿を読み取って、読み取った原稿の画像を表す画像データを情報送信部１０６に供給する。
【００４４】
情報送信部１０６は、情報を送信する機能であり、本発明の「送信部」の一例である。情報送信部１０６は、情報の送信を指示する操作が受け付けられた場合にその情報を送信する。情報送信部１０６は、例えば前述の例では第１送信操作受付部１０３によりファクシミリによる情報の送信を指示する操作が受け付けられた場合、原稿読取部１０５から画像データが供給されるので、供給された画像データを、第１宛先一覧に含まれる宛先、すなわち指定された宛先に送信する。情報送信部１０６は、原稿読取部１０５から画像データが供給されると、宛先一覧表示制御部１０２に第１宛先一覧に含まれる宛先を問い合わせ、その応答で得られる宛先に対して画像データを送信する。
【００４５】
確認画面表示制御部１０７は、第１宛先一覧が表示手段の一画面に収まらない場合に、第１宛先一覧に含まれる宛先をその第１宛先一覧よりも一画面において多く含む宛先の一覧を表示させる。以下では確認画面表示制御部１０７が表示させる宛先の一覧を「第２宛先一覧」という。第２宛先一覧は本発明の「第２の一覧」の一例であり、確認画面表示制御部１０７は本発明の「第２表示制御部」の一例ある。
【００４６】
図４は表示された第２宛先一覧の一例を表す。図４の例では、確認画面表示制御部１０７が、「宛先確認画面」及び「以下の宛先に送信しますか？」という文字列と、「ＡＡ、ＢＢ、ＣＣ、ＤＤ、ＥＥ、ＦＦ、ＧＧ、ＨＨ、ＪＪ、ＫＫ」という宛先の名称を含む第２宛先一覧Ｄ１と、送信操作用画像Ｃ１１と、キャンセル操作用画像Ｃ１２とを含む宛先確認画面Ａ２を操作パネル１８に表示させている。送信操作用画像Ｃ１１は、第２宛先一覧Ｄ１に含まれる宛先、すなわち指定された宛先への情報の送信を指示する操作を受け付けるための画像である。キャンセル操作用画像Ｃ１２は、情報の送信を取り消す操作を受け付けるための画像である。
【００４７】
確認画面表示制御部１０７は、本実施例では、図４に表すように、操作パネル１８の一画面に収まるように表した第２宛先一覧Ｄ１を表示させている。図４の例では、確認画面表示制御部１０７は、図３に表す第１宛先一覧Ｂ２に含まれる各宛先を表す文字列を省略して第２宛先一覧Ｄ１に含めることで、第２宛先一覧Ｄ１を一画面に収めている。また、確認画面表示制御部１０７は、第１宛先一覧Ｂ２に含まれる宛先の配置を変更して第２宛先一覧Ｄ１に含めることで第２宛先一覧Ｄ１を一画面に収めている。なお、第２宛先一覧を一画面に収める方法はこれに限らない。
【００４８】
図５は表示された第２宛先一覧の別の一例を表す。図５の例では、確認画面表示制御部１０７が、「ＡＡ：ｘｘ−ｘｘｘｘ−ｘｘｘ１」、「ＢＢ：ｘｘ−ｘｘｘｘ−ｘｘｘ２」、・・・「ＫＫ：ｘｘ−ｘｘｘｘ−ｘｘ１０」という１０個の宛先を含む第２宛先一覧Ｄ２を含む宛先確認画面Ａ２を操作パネル１８に表示させている。この例では、確認画面表示制御部１０７は、第１宛先一覧Ｂ２に含まれる宛先の配置を変更するとともに、それらの宛先を縮小して第２宛先一覧Ｄ２に含めることで第２宛先一覧Ｄ２を一画面に収めている。
【００４９】
キャンセル操作用画像Ｃ１２に対する操作（この画像をタップする操作など）が行われると、宛先一覧表示制御部１０２が再び第１宛先一覧を表示させる。送信操作用画像Ｃ１１に対する操作が行われると、第２送信操作受付部１０８が、この操作を、指定された宛先への送信を指示する操作として受け付ける。第２送信操作受付部１０８は、この操作を受け付けると、その旨を原稿読取部１０５に通知する。以降は、前述したように、原稿読取部１０５が原稿を読み取り、情報送信部１０６が読み取られた原稿の画像データを指定された宛先に送信する。
【００５０】
以上のとおり、第１宛先一覧が表示手段の一画面に収まっており、且つ、図３に表す送信操作用画像Ｃ１への操作が行われた場合には、情報送信部１０６が、情報の送信を指示する操作が受け付けられたものとしてその情報（読み取られた原稿の画像データ）を送信する。一方、第１宛先一覧が表示手段の一画面に収まっておらず、且つ、送信操作用画像Ｃ１への操作が行われた場合には、確認画面表示制御部１０７が、宛先確認画面を表示させる。送信操作用画像Ｃ１は本発明の「第１操作子」の一例である。
【００５１】
また、確認画面表示制御部１０７は、宛先確認画面とともに図４、図５に表す送信操作用画像Ｃ１１を表示させる。そして、情報送信部１０６は、送信操作用画像Ｃ１１への操作が行われた場合に、情報の送信を指示する操作が受け付けられたものとして情報を送信する。また、確認画面表示制御部１０７は、第１宛先一覧が表示手段の一画面に収まる場合には、宛先確認画面を表示させない。
【００５２】
画像処理装置１０は、以上の構成を備えることで、指定された宛先に情報を送信する情報送信処理を行う。
図６は情報送信処理における画像処理装置１０の動作手順の一例を表す。この動作手順は、ユーザが図３に表す宛先一覧画面Ａ１を表示させる操作を行うことを契機に開始される。まず、画像処理装置１０（宛先指定操作受付部１０１）が、テンキーや電話帳を用いて複数の宛先を指定する操作を受け付ける（ステップＳ１１）。
【００５３】
次に、画像処理装置１０（宛先一覧表示制御部１０２）が、指定された複数の宛先を含む第一宛先一覧を表示させる（ステップＳ１２）。ここで、ユーザが図３に表す送信操作用画像Ｃ１に対する操作を行うと、画像処理装置１０（第１送信操作受付部１０３）が、この操作を、情報を送信するための操作として受け付ける（ステップＳ１３）。続いて、画像処理装置１０（一覧表示状態判断部１０４）が、表示されている第１宛先一覧が一画面に収まっているか否かを判断する（ステップＳ１４）。
【００５４】
ステップＳ１４で第１宛先一覧が一画面に収まっていない（ＮＯ）と判断されると、画像処理装置１０（確認画面表示制御部１０７）が、図４や図５に表す宛先確認画面Ａ２を表示させる（ステップＳ１５）。ここで、ユーザが宛先確認画面Ａ２に含まれる送信操作用画像Ｃ１１に対する操作を行うと、画像処理装置１０（第２送信操作受付部１０８）が、この操作を、情報を送信するための操作として受け付ける（ステップＳ１６）。
【００５５】
続いて、画像処理装置１０（原稿読取部１０５）が、自装置にセットされた原稿を読み込む（ステップＳ１７）。第１宛先一覧が一画面に収まっている（ＹＥＳ）と判断された場合にも、画像処理装置１０（原稿読取部１０５）は、原稿の読み込みを行う（ステップＳ１７）。そして、画像処理装置１０（情報送信部１０６）は、読み込まれた原稿の画像を表す画像データを送信する（ステップＳ１８）。
【００５６】
本実施例では、第１宛先一覧が一画面に収まっていない場合に第２宛先一覧が表示される。これにより、一画面で表示し切れない一覧に含まれる宛先への情報送信において宛先確認のための注意喚起が行われることになる。また、第２宛先一覧には第１宛先一覧よりも一画面において多くの宛先が含まれているので、第１宛先一覧だけで宛先を確認させる場合に比べて効率よく多くの宛先が確認されることになる。また、第２宛先一覧が一画面に収まっているので、第２宛先一覧が一画面に収まらない場合に比べて宛先全体の確認が容易に行われることになる。
【００５７】
また、情報の送信を指示する操作用画像（図３に表す送信操作用画像Ｃ１）を操作することで第２宛先一覧が表示されるので、ユーザが宛先を必ず確認することになる。また、第２宛先一覧とともに表示される送信操作用画像Ｃ１１を操作することで情報が送信されるので、この送信操作用画像Ｃ１１が表示されない場合に比べて、宛先を確認した後に送信を指示する際の手間が小さくなる。また、第１宛先一覧が一画面に収まる場合には第２宛先一覧が表示されないので、この場合にも第２宛先一覧が表示されるときに比べてより早く情報が送信されることになる。
【００５８】
［２］変形例
上述した実施例は本発明の実施の一例に過ぎず、以下のように変形させてもよい。また、実施例及び各変形例は、必要に応じて組み合わせて実施してもよい。
【００５９】
［２−１］第２宛先一覧
確認画面表示制御部１０７は、実施例では一画面に収まる第２宛先一覧を表示させたが、これに限らず、一画面に収まらない第２宛先一覧を表示させてもよい。その場合に、第２宛先一覧の全体が表示されるまで情報が送信されないようにしてもよい。
【００６０】
図７は本変形例で表示された第２宛先一覧の一例を表す。図７（ａ）の例では、確認画面表示制御部１０７が、一画面に収まらない第２宛先一覧Ｄ３と、第２宛先一覧Ｄ３をスクロールさせるためのスクロールバーＣ２１と、破線で囲まれた送信操作用画像Ｃ２２とを含む宛先確認画面Ａ２を操作パネル１８に表示させている。この送信操作用画像Ｃ２２が操作されても、第２送信操作受付部１０８が操作を受け付けないようになっている。
【００６１】
確認画面表示制御部１０７は、スクロールバーＣ２１が操作されることで第２宛先一覧Ｄ３を最後まで表示させると、図７（ｂ）に表すように送信操作用画像Ｃ２２を実線で囲まれた画像に変更する。この送信操作用画像Ｃ２２が操作されると、第２送信操作受付部１０８が操作を受け付ける。このように、本変形例では、情報送信部１０６が、第２宛先一覧が一画面に収まらない場合、その第２宛先一覧の全体が表示されるまでは、情報を送信しないことになる。このように、本変形例では、第２宛先一覧が一画面に収まっていない場合でも、第２宛先一覧の全体の確認をしなければ情報が送信されないようになっている。
【００６２】
［２−２］第２宛先一覧の表示時間
第２宛先一覧の表示時間が制限されていてもよい。その場合、確認画面表示制御部１０７が制限時間が経過するまで第２宛先一覧を表示させる。その後は、例えば宛先一覧表示制御部１０２が第１宛先一覧を表示させる画面に切り替える。その場合、第２送信操作受付部１０８が情報の送信を指示する操作を受け付けない。
【００６３】
このように、第２宛先一覧が表示されてから決められた時間（制限時間）が経過しても情報の送信を指示する操作が受け付けられない場合には、情報送信部１０６がその情報を送信しない。これにより、第２宛先一覧の確認と送信を指示する操作とが急かされることになる。
【００６４】
なお、確認画面表示制御部１０７が制限時間が経過するまで第２宛先一覧を表示させた後、第１宛先一覧を表示させる画面に切り替えるのではなく、第２送信操作受付部１０８が情報の送信を指示する操作を受け付けたものとしてもよい。その場合、情報送信部１０６は、第２宛先一覧が表示されてから決められた時間が経過すると、情報の送信を指示する操作が受け付けられていなくても、その情報を送信することになる。これにより、宛先を確認するための時間を提供した後は、操作の有無にかかわらず情報が送信されることになる。
【００６５】
また、上記の制限時間（確認画面表示制御部１０７が第２宛先一覧を表示させる時間）を変化させてもよい。例えば、この制限時間を、第２宛先一覧に含まれる宛先の量に応じた長さの時間としてもよい。確認画面表示制御部１０７は、宛先の量と制限時間とを対応付けた制限時間テーブルを用いて制限時間を変化させる。
【００６６】
図８は制限時間テーブルの一例を表す。図８の例では、「閾値Ｔｈ１未満」という宛先の量に「Ｔ１」という制限時間が対応付けられ、「閾値Ｔｈ１以上」という宛先の量に「Ｔ２（Ｔ１＜Ｔ２）」という制限時間が対応付けられている。ここでいう宛先の量は、例えば宛先の件数であるが、これに限らず、宛先を表す文字数であってもよい。確認画面表示制御部１０７は、表示させた第２宛先一覧に含まれる宛先の数に制限時間テーブルで対応付けられている制限時間が経過するまで、第２宛先一覧を表示させる。これにより、宛先の量に合わせて宛先を確認する時間が確保されることになる。
【００６７】
［２−３］宛先数の表示
実施例では第２宛先一覧を表示することで宛先確認のための注意喚起が行われたが、注意喚起のために表示する情報はこれに限らない。
【００６８】
図９は本変形例の画像処理装置１０ａが実現する機能構成の一例を表す。画像処理装置１０ａは、宛先指定操作受付部１０１と、宛先一覧表示制御部１０２と、第１送信操作受付部１０３と、原稿読取部１０５と、情報送信部１０６と、件数表示制御部１０９とを備える。本変形例の宛先一覧表示制御部１０２は、第１宛先一覧を表示させると、その第１宛先一覧を件数表示制御部１０９に供給する。件数表示制御部１０９は、供給された第１宛先一覧に含まれる宛先の件数を表す情報を表示させる。件数表示制御部１０９は本発明の「第２表示制御部」の一例である。
【００６９】
図１０は表示された第１宛先一覧の一例を表す。図１０の例では、件数表示制御部１０９が、宛先一覧画面Ａ１において、「１０」という宛先の件数を表す件数画像Ｄ４を第１宛先一覧Ｂ２に重畳させて表示させている。この件数画像が表示されることで、ユーザは、自分が指定しようと思っている宛先の件数と、実際に指定されている宛先の件数とが合っているかを把握することになる。これらの件数にずれがあると、ユーザは、第１宛先一覧をスクロールさせることで、どの宛先をまだ指定していないかを確認して残りの宛先を指定するというように件数画像が利用される。
【００７０】
このように、件数画像が表示されることで、一画面で表示し切れない一覧に含まれる宛先への情報送信において宛先確認のための注意喚起が行われることになる。実施例の確認画面表示制御部１０７も、本変形例の件数表示制御部１０９も、第１宛先一覧に含まれる宛先に関連する宛先関連情報（実施例の第２宛先一覧及び本変形例の件数画像はいずれも宛先関連情報の一例）を表示手段に表示させることで、宛先確認のための注意喚起を行っている。
【００７１】
また、件数画像が第１宛先一覧に重畳されて表示されることで、件数画像が第１宛先一覧から離れた位置に表示される場合に比べて、表示された件数が第１宛先一覧に含まれる宛先の件数であることが伝わりやすくなっている。なお、宛先の件数を表す情報は、第１宛先一覧に重畳させた件数画像の他に、例えばポップアップ画像のように宛先確認画面とは別の画面を表す四角形の画像で表示されてもよい。いずれの場合も、宛先の件数がユーザに分かり易いように表示されることが望ましい。
【００７２】
なお、実施例では確認画面表示制御部１０７が第２宛先一覧を宛先関連情報として表示させ、本変形例では件数表示制御部１０９が件数画像を宛先関連情報として表示させたが、両方の宛先関連情報が表示されてもよい。この場合、宛先一覧画面Ａ１では件数表示制御部１０９が件数画像を表示させ、さらに、宛先確認画面Ａ２では確認画面表示制御部１０７が第２宛先一覧を表示させる。これにより、一画面で表示し切れない一覧に含まれる宛先への情報送信において、一方の宛先関連情報だけが表示される場合に比べて、宛先確認のための注意喚起がより強く行われることになる。
【００７３】
［２−４］グループ登録された宛先
複数のＦＡＸ番号をまとめたグループ登録がされている場合に、グループ登録された宛先の確認のための注意喚起が行われてもよい。
【００７４】
図１１は本変形例の宛先一覧画面と宛先確認画面の一例を表す。図１１（ａ）の例では、宛先一覧表示制御部１０２が、複数の宛先を表すグループの宛先（「ＡＡグループ」及び「ＢＢグループ」）を含む第１宛先一覧Ｂ３を表示手段である操作パネル１８に表示させている。図１１（ｂ）の例では、確認画面表示制御部１０７が、それらのグループに含まれる複数の宛先を別々に表す宛先の一覧Ｅ２を操作パネル１８に表示させている。
【００７５】
具体的には、確認画面表示制御部１０７は、「ＡＡグループ」についてはこのグループに含まれる宛先の名称である「ＡＡＡ、ＡＡＢ、ＡＡＣ、ＡＡＤ、ＡＡＥ」を表示させ、「ＢＢグループ」についてはこのグループに含まれる宛先の名称である「ＢＢＡ、ＢＢＢ、ＢＢＣ」を表示させている。以下では確認画面表示制御部１０７が表示させるグループに含まれる複数の宛先を別々に表す宛先の一覧を「第３宛先一覧」という。第３宛先一覧は本発明の「第３の一覧」の一例である。
【００７６】
このよう確認画面表示制御部１０７が第３宛先一覧を表示させることで、第１宛先一覧に複数の宛先を表すグループの宛先が含まれている場合に、そのグループに含まれる宛先もユーザが確認することになる。なお、確認画面表示制御部１０７は、図１１の例ではグループに含まれる宛先の名称を含む第３宛先一覧Ｅ２を表示させたが、これに限らず、グループに含まれる宛先のＦＡＸ番号を表示させてもよいし、名称及びＦＡＸ番号の両方を表示させてもよい。表示させる情報が多くなると、第３宛先一覧が一画面に収まらなくなる場合が出てくる。
【００７７】
図１２は本変形例の宛先確認画面の別の一例を表す。図１２の例では、確認画面表示制御部１０７が、操作パネル１８の一画面に収まらない第３宛先一覧Ｅ２を表示させる場合に、この第３宛先一覧Ｅ２に含まれる宛先の件数を表す件数画像Ｄ５も表示させている。この件数画像Ｄ５が表す件数は、グループに含まれる宛先を個々に計上した件数（例えば「ＡＡグループ」の宛先の件数は１件ではなく、「ＡＡグループ」に含まれる宛先の件数である５件として計上している）である。
【００７８】
これにより、第３宛先一覧が表示手段の一画面に収まらない場合に、その第３宛先一覧に含まれていてまだ表示されていない宛先の確認のための注意喚起が行われることになる。なお、確認画面表示制御部１０７は、例えば図１２の例のようにグループに含まれる宛先を個別に表示させると一画面に収まらない場合には、グループの名称だけを含む宛先の一覧を第２宛先一覧として表示させてもよい。これにより、一画面に収まらない第３宛先一覧を表示させる場合に比べて宛先全体の確認が容易に行われることになる。
【００７９】
なお、この場合に、表示されたグループの名称を選択する操作が行われると、確認画面表示制御部１０７は、選択されたグループに含まれる個別の宛先を表示させてもよい。また、確認画面表示制御部１０７は、全てのグループを名称だけで表示させるとまだ宛先を表示させるスペースが画面上に残っている場合に、一部のグループについては宛先を個別に表示させてもよい。
【００８０】
図１３は本変形例の宛先確認画面の別の一例を表す。図１３の例では、確認画面表示制御部１０７が、グループの名称だけの「ＡＡグループ」と、「ＢＢＡ：ｘｘ−ｘｘｘｘ−ｘ２０１」等の個別の宛先を含む「ＢＢグループ」と、「ＣＣ：ｘｘ−ｘｘｘｘ−ｘｘｘ３」から「ＬＬ：ｘｘ−ｘｘｘｘ−ｘｘ１１」までの各宛先とを含む第３宛先一覧Ｅ３を表示させている。これにより、一画面に収まらない第３宛先一覧を表示させる場合に比べて宛先全体の確認が容易に行われることになり、且つ、一部のグループについては個別の宛先についてもユーザが確認することになる。
【００８１】
［２−５］第２、第３宛先一覧の非表示
上記の各例では、確認画面表示制御部１０７が、第１宛先一覧が一画面に収まらない場合に第２宛先一覧を必ず表示させたが、これに限らない。確認画面表示制御部１０７は、第１宛先一覧が表示手段の一画面に収まらない場合に、その第１宛先一覧の全体を表示させる操作が行われたときには、第２宛先一覧を表示させなくてもよい。第１宛先一覧の全体を表示させる操作とは、例えば図３（ｂ）に表すスクロールバーＣ４を一番下まで移動させる操作である。
【００８２】
図１４は本変形例の情報送信処理における動作手順の一例を表す。図１４の例では、画像処理装置１０は、図６に表すステップＳ１１（宛先指定操作の受け付け）からＳ１４（第１宛先一覧が一画面に収まるか否かの判断）までの動作を行う。次に、画像処理装置１０（一覧表示状態判断部１０４）は、第１宛先一覧の全体を表示させる操作が行われたか否かを判断する（ステップＳ２１）。
【００８３】
ステップＳ２１で全体を表示させる操作が行われた（ＹＥＳ）と判断された場合には、画像処理装置１０はステップＳ１７の動作（原稿の読み込み）を行い、ステップＳ２１で全体を表示させる操作が行われなかった（ＮＯ）と判断された場合には、画像処理装置１０はステップＳ１５の動作（宛先確認画面の表示）を行う。これにより、第１宛先一覧の全体を表示させる操作が行われても宛先関連情報を表示させる場合に比べて、より早く情報が送信されることになる。なお、第３宛先一覧についても、第２宛先一覧のように、第１宛先一覧の全体を表示させる操作が行われたときには表示されないようにしてもよい。
【００８４】
［２−６］送信の宛先
上記の各例ではＦＡＸ番号を宛先として原稿を読み込んだ画像データが送信されたが、これに限らず、例えばパーソナルコンピュータが生成した画像データが送信されてもよい。また、ファクシミリに限らず、例えば電子メールアドレスを宛先として電子メールが送信されてもよいし、ＳＮＳ（Social Networking Service）のアカウントを宛先として投稿文書が送信されてもよい。いずれの場合も、複数の宛先に情報を送信するものであれば、本発明が適用されることで、一画面で表示し切れない一覧に含まれる宛先への情報送信において宛先確認のための注意喚起が行われることになる。
【００８５】
［２−７］宛先関連情報表示部
上記の各例で述べた動作が他の機能によって行われてもよい。
図１５は本変形例の画像処理装置１０ｂが実現する機能構成を表す。画像処理装置１０ｂは、宛先指定操作受付部１０１と、宛先関連情報表示部１１０と、第１送信操作受付部１０３と、原稿読取部１０５と、情報送信部１０６と、確認画面表示制御部１０７と、第２送信操作受付部１０８とを備える。
【００８６】
宛先関連情報表示部１１０は、情報を送信する宛先が複数指定されるとそれら複数の宛先の一覧（例えば図３に表す第１宛先一覧Ｂ１やＢ２）を表示する。宛先関連情報表示部１１０は本発明の「表示部」の一例である。宛先関連情報表示部１１０は、一覧表示状態判断部１０４からの通知を受け取った場合、すなわち、表示した一覧が一画面に収まらない場合、情報の送信前にそれら複数の宛先に関連する宛先関連情報（例えば図４に表す第２宛先一覧Ｄ１や図１０に表す件数画像Ｄ４など）を表示する。
【００８７】
本変形例でも、宛先関連情報表示部１１０が宛先関連情報を表示することで、一画面で表示し切れない一覧に含まれる宛先への情報送信において宛先確認のための注意喚起が行われることになる。
【００８８】
［２−８］表示形式
確認画面表示制御部１０７は、実施例とは別の方法で第２宛先一覧を一画面に収めてもよい。
図１６は本変形例で表示された第２宛先一覧の一例を表す。図１６の例では、確認画面表示制御部１０７が、「ＡＡｘｘｘｘｘｘｘｘｘ１」、「ＢＢｘｘｘｘｘｘｘｘｘ２」、・・・「ＫＫｘｘｘｘｘｘｘｘ１０」という１０個の宛先を含む第２宛先一覧Ｄ６を含む宛先確認画面Ａ２を操作パネル１８に表示させている。
【００８９】
この例では、確認画面表示制御部１０７は、第１宛先一覧Ｂ２に含まれる宛先の配置を変更するとともに、それらの宛先の表示形式を変更して（「：」及び「−」を表示しない表示形式に変更）第２宛先一覧Ｄ６に含めることで第２宛先一覧Ｄ２を一画面に収めている。確認画面表示制御部１０７は、これ以外にも、例えば宛先の先頭から決められた文字数までを表示する表示形式や宛先の後端から決められた文字数までを表示する表示形式などへの変更をしてもよい。
【００９０】
［２−９］発明のカテゴリ
本発明は、上述した画像処理装置のように第１宛先一覧及び第２宛先一覧を表示させる処理や第１宛先一覧及び第２宛先一覧を表示する処理を行う情報処理装置の他、その情報処理装置が実施する処理を実現するための情報処理方法としても捉えられるし、それらの処理をコンピュータに実行させるためのプログラムとしても捉えられる。このプログラムは、それを記憶させた光ディスク等の記録媒体の形態で提供されてもよいし、インターネット等の通信回線を介してコンピュータにダウンロードさせ、それをインストールして利用可能にするなどの形態で提供されてもよい。
【符号の説明】
【００９１】
１０…画像処理装置、１８…操作パネル、１０１…宛先指定操作受付部、１０２…宛先一覧表示制御部、１０３…第１送信操作受付部、１０４…一覧表示状態判断部、１０５…原稿読取部、１０６…情報送信部、１０７…確認画面表示制御部、１０８…第２送信操作受付部、１０９…件数表示制御部、１１０…宛先関連情報表示部。
【図１】
2017175298.tif 000003
【図２】
2017175298.tif 000004
【図３】
2017175298.tif 000005
【図４】
2017175298.tif 000006
【図５】
2017175298.tif 000007
【図６】
2017175298.tif 000008
【図７】
2017175298.tif 000009
【図８】
2017175298.tif 000010
【図９】
2017175298.tif 000011
【図１０】
2017175298.tif 000012
【図１１】
2017175298.tif 000013
【図１２】
2017175298.tif 000014
【図１３】
2017175298.tif 000015
【図１４】
2017175298.tif 000016
【図１５】
2017175298.tif 000017
【図１６】
2017175298.tif 000018